(57)【要約】【課題】遊技台シミュレーションゲームを楽しんだユーザを遊技店に導き、実機での遊技を促進する仕組みを提供すること。【解決手段】遊技台シミュレーションゲームを実行可能な携帯端末と該携帯端末と通信可能なサーバとを備える情報配信システムであって、前記携帯端末は、前記遊技台シミュレーションゲームに対応する実機の種類を示す機種情報と現在位置情報とを前記サーバに送信する送信手段を備え、前記サーバは、前記携帯端末に送信する配信情報を生成する配信情報生成手段と前記配信情報を送信する送信手段とを備え、前記配信情報生成手段は、受信した前記機種情報と前記現在位置情報とに基づいて、前記機種情報が示す種類の実機が設置されている遊技店であって前記現在位置情報が示す位置を基準とした所定地域内の少なくとも１つの遊技店を示す遊技店案内情報を、前記配信情報として生成可能である。【選択図】図２
2014106814.tif 000002
【特許請求の範囲】
【請求項１】
遊技台の実機と同様のゲームを仮想的に行える遊技台シミュレーションゲームを実行可能な携帯端末と、該携帯端末と通信可能なサーバと、を備える情報配信システムであって、
前記携帯端末は、
前記遊技台シミュレーションゲームに対応する実機の種類を示す機種情報と前記携帯端末の現在位置情報とを前記サーバに送信する送信手段を備え、
前記サーバは、
前記携帯端末に送信する配信情報を生成する配信情報生成手段と、
前記配信情報を前記携帯端末に送信する送信手段と、を備え、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とする情報配信システム。
【請求項２】
請求項１に記載の情報配信システムであって、
前記配信情報生成手段は、
現在時刻に応じて異なる配信情報を生成する、
ことを特徴とする情報配信システム。
【請求項３】
請求項１に記載の情報配信システムであって、
前記配信情報生成手段は、
前記所定地域内の遊技店のうち、現在時刻を基準として営業時間内に遊技可能な遊技店を示す前記遊技店案内情報を生成し、
営業時間内に遊技可能な遊技店が無い場合は、所定の広告情報を前記配信情報として生成する、
ことを特徴とする情報配信システム。
【請求項４】
請求項１に記載の情報配信システムであって、
前記携帯端末の前記送信手段は、前記遊技台シミュレーションゲームのゲーム終了を契機として、前記機種情報と前記現在位置情報とを送信する、
ことを特徴とする情報配信システム。
【請求項５】
請求項１に記載の情報配信システムであって、
前記遊技店案内情報は、前記所定地域内の遊技店の位置を示す地図情報を少なくとも含む、
ことを特徴とする情報配信システム。
【請求項６】
請求項５に記載の情報配信システムであって、
前記サーバは、
遊技店の情報を蓄積した遊技店情報サーバ及び地図情報を蓄積した地図情報サーバと通信可能であり、
前記配信情報生成手段は、
前記遊技店情報サーバから取得した情報と前記地図情報サーバから取得した情報とに基づいて、前記遊技店案内情報を生成する、
ことを特徴とする情報配信システム。
【請求項７】
請求項１乃至６のいずれか１項に記載の情報配信システムであって、
前記携帯端末は、二次元コードを読み取る読取手段を備え、
前記携帯端末の前記送信手段は、前記読取手段が遊技台によって示される二次元コードを読み取った場合に、その読取結果を前記サーバに送信可能であり、
前記配信情報生成手段は、前記携帯端末から前記読取結果を受信した場合に、所定の情報を、前記配信情報として生成する、
ことを特徴とする情報配信システム。
【請求項８】
遊技台の実機と同様のゲームを仮想的に行える遊技台シミュレーションゲームを実行可能な携帯端末と通信可能なサーバであって、
前記携帯端末から、前記遊技台シミュレーションゲームに対応する実機の種類を示す機種情報と前記携帯端末の現在位置情報とを受信する受信手段と、
前記携帯端末に送信する配信情報を生成する配信情報生成手段と、
前記配信情報を前記携帯端末に送信する送信手段と、を備え、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とするサーバ。
【請求項９】
遊技台の実機と同様のゲームを仮想的に行える遊技台シミュレーションゲームを実行可能な携帯端末と通信可能なサーバに実行させる情報配信方法であって、
前記サーバが、前記携帯端末から、前記遊技台シミュレーションゲームに対応する実機の種類を示す機種情報と前記携帯端末の現在位置情報とを受信する受信工程と、
前記サーバが、前記携帯端末に送信する配信情報を生成する配信情報生成工程と、
前記サーバが、前記配信情報を前記携帯端末に送信する送信工程と、を備え、
前記配信情報生成工程では、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とする情報配信方法。
【請求項１０】
遊技台の実機と同様のゲームを仮想的に行える遊技台シミュレーションゲームを実行可能な携帯端末と通信可能なサーバを、
前記携帯端末から、前記遊技台シミュレーションゲームに対応する実機の種類を示す機種情報と前記携帯端末の現在位置情報とを受信する受信手段、
前記携帯端末に送信する配信情報を生成する配信情報生成手段、
前記配信情報を前記携帯端末に送信する送信手段、として機能させるプログラムであり、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とするプログラム。
【請求項１１】
サーバと通信可能な携帯端末を、
遊技台の実機と同様のゲームを仮想的に行える遊技台シミュレーションゲームを実行する実行手段、
前記遊技台シミュレーションゲームに対応する実機の種類を示す機種情報と前記携帯端末の現在位置情報とを送信する送信手段、
として機能させるプログラム。
【請求項１２】
請求項１１に記載のプログラムであって、
前記送信手段は、前記遊技台シミュレーションゲームのゲーム終了を契機として、前記機種情報と前記現在位置情報とを送信することを特徴とするプログラム。
【発明の詳細な説明】
【技術分野】
【０００１】
本発明は、ぱちんこ、パチスロ等の遊技台に関連する情報を配信する技術に関する。
【背景技術】
【０００２】
携帯型電話機などの携帯端末用のコンテンツとして、遊技台に関するコンテンツをネットワークを利用して配信する技術が提案されている（例えば特許文献１及び２）。このようなコンテンツとして、近年、遊技台の実機を模した遊技台シミュレーションゲームが携帯端末用に配信されている。このような遊技台シミュレーションゲームは、実際に遊技店に設置されている遊技台と遜色ないゲームが楽しめるようになっており、人気が高まっている。
【先行技術文献】
【特許文献】
【０００３】
【特許文献１】特開２００７−２０７８２号公報
【特許文献２】特許第５０１７６９１号公報
【発明の概要】
【発明が解決しようとする課題】
【０００４】
しかし、遊技台シミュレーションゲームは、そのシミュレーションゲーム内でユーザを楽しませるに留まり、実機の稼動低下を招く一因にもなり得る。
【０００５】
本発明の目的は、遊技台シミュレーションゲームを楽しんだユーザを遊技店に導き、実機での遊技を促進する仕組みを提供することにある。
【課題を解決するための手段】
【０００６】
本発明によれば、例えば、遊技台の実機と同様のゲームを仮想的に行える遊技台シミュレーションゲームを実行可能な携帯端末と、該携帯端末と通信可能なサーバと、を備える情報配信システムであって、前記携帯端末は、前記遊技台シミュレーションゲームに対応する実機の種類を示す機種情報と前記携帯端末の現在位置情報とを前記サーバに送信する送信手段を備え、前記サーバは、前記携帯端末に送信する配信情報を生成する配信情報生成手段と、前記配信情報を前記携帯端末に送信する送信手段と、を備え、前記配信情報生成手段は、前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、ことを特徴とする情報配信システムが提供される。
【発明の効果】
【０００７】
本発明によれば、遊技台シミュレーションゲームを楽しんだユーザを遊技店に導き、実機での遊技を促進する仕組みを提供することができる。
【図面の簡単な説明】
【０００８】
【図１】本発明の一実施形態に係る情報配信システムの概要図。
【図２】（Ａ）乃至（Ｃ）は情報配信例の説明図。
【図３】（Ａ）及び（Ｂ）は情報配信例の説明図。
【図４】（Ａ）乃至（Ｃ）は二次元コードの読取例の説明図。
【図５】（Ａ）は情報配信サーバのブロック図、（Ｂ）は携帯端末のブロック図。
【図６】（Ａ）乃至（Ｄ）はデータベースの説明図。
【図７】（Ａ）はアプリケーションプログラムの説明図、（Ｂ）及び（Ｃ）は携帯端末の表示画面例を示す図。
【図８】（Ａ）は情報配信サーバと携帯端末との処理例を示すフローチャート、（Ｂ）は携帯端末の表示画面例を示す図。
【図９】情報配信サーバと遊技店情報サーバ及び地図情報サーバとの処理例を示すフローチャート。
【図１０】営業時間内に遊技可能か否かを判別する判別例の説明図。
【図１１】携帯端末の表示画面例を示す図。
【図１２】携帯端末の表示画面例を示す図。
【図１３】携帯端末の表示画面例を示す図。
【図１４】情報配信サーバと携帯端末との処理例を示すフローチャート。
【図１５】情報配信サーバと遊技店情報サーバとの処理例を示すフローチャート。
【図１６】（Ａ）及び（Ｂ）は携帯端末の表示画面例を示す図。
【発明を実施するための形態】
【０００９】
＜システムの概略＞
図１は、本発明の一実施形態に係る情報配信情報配信システムＡのブロック図である。情報配信システムＡは、遊技店の情報を蓄積した遊技店情報サーバ１と、電子化された地図を含む地図情報を蓄積した地図情報サーバ２と、パソコン等の遊技店端末２と、携帯端末２０に情報を配信する情報配信サーバ１０と、携帯型電話機（特にスマートフォン）やタブレット等の携帯端末２０と、を備え、これらがインターネット等の通信回線３０を介して互いに通信可能となっている。なお、遊技店情報サーバ１及び地図情報サーバ２の少なくともいずれか一方は、情報配信サーバ１０に含めることも可能である。
【００１０】
図２及び図３は情報配信サーバ１０が提供するサービスの概要を示している。情報配信サーバ１０は通信回線３０上で提供するＷｅｂページを介して、携帯端末２０に各種の情報を提供する。その一例として、図２（Ａ）に示すように、情報配信サーバ１０は、携帯端末２０の要求に応じて、携帯端末２０に対して遊技台シミュレーションゲームのアプリケーションプログラム（以下、ゲームアプリともいう）をダウンロード可能となっている。ゲームアプリは、携帯端末２０上で、ぱちんこ、スロットマシン（パチスロ）に代表される遊技台の実機と同様のゲームを仮想的に行えるゲームプログラムである。
【００１１】
次に、遊技店案内情報の配信時の手順と、有益情報の配信時の手順とについて図２（Ｂ）及び（Ｃ）並びに図３を参照して説明する。
【００１２】
＜遊技店案内情報の配信＞
遊技台シミュレーションゲームは、そのシミュレーションゲーム内でユーザ（遊技者）を楽しませるに留まり、実機の稼動低下を招く一因にもなり得る。逆に、シミュレーションゲームを楽しんだユーザが実機でのゲームを望む場合もある。そこで、遊技台シミュレーションゲームに対応する実機が設置されている近隣の遊技店を示す遊技店案内情報を配信する。
【００１３】
図２（Ｂ）に示すように、ゲームアプリは、遊技台シミュレーションゲームに対応する実機の種類を示す機種情報と携帯端末２０の現在位置情報（例えば座標情報）とを情報配信サーバ１０に送信させるプログラムを含む。これに応答して情報配信サーバ１０は、機種情報が示す種類の実機が設置されている遊技店であって、現在位置情報が示す位置を基準とした所定地域内の遊技店の検索要求を遊技店情報サーバ１に送信し、その検索結果を遊技店情報サーバ１から受信する。
【００１４】
更に、図２（Ｃ）に示すように、遊技店の検索結果から、その周辺の地図情報の取得要求を地図情報サーバ２に送信し、その検索結果を地図情報サーバ２から受信する。情報配信サーバ１０は、受信した地図情報を利用して、遊技店の位置が示された地図を含む遊技店案内情報を配信情報として生成する。そして、生成した遊技店案内情報を、図２（Ｂ）において機種情報及び現在位置情報を送信した携帯端末２０に配信する。
【００１５】
遊技店案内情報によって、携帯端末２０のユーザに遊技台の実機が設置されている遊技店をユーザに知らせることができ、遊技台シミュレーションゲームを楽しんだユーザを遊技店に導き、実機での遊技を促進することができる。
【００１６】
＜有益情報の配信＞
遊技店案内情報のみであると、その宣伝効果には限界があり、特に、実際に遊技者がその遊技店に足を運んでいるかが分かりづらい。遊技店としては、遊技者をより効果的に遊技店に導く情報配信を期待している。そこで、実際に遊技店に足を運んだことが確認されたユーザに対しては、その遊技店に関する特定情報を配信する。この特定情報は、遊技店案内情報よりも遊技者に有益な情報としている（以下、有益情報ともいう）。したがって、遊技者をより効果的に遊技店に導くことができる。
【００１７】
このサービスを利用する携帯端末２０のユーザは遊技店に到着すると、遊技店に設置された遊技台に示されている二次元コードを携帯端末２０に読み取らせる。
【００１８】
二次元コードの表示形態としては、図４（Ａ）及び（Ｂ）に例示するように、ぱちんこ機やスロットマシン等の遊技台が備える画像表示装置に電子画像として二次元コードを表示させてもよいし、図４（Ｃ）に示すように遊技台にシール等として貼着された印刷物によって二次元コードを表示するようにしてもよい。
【００１９】
電子画像として二次元コードを表示する場合、例えば、遊技台が客待ちの状態のときに画像表示装置が表示するデモ画像に二次元コードを含めてもよいし、遊技台の遊技結果が特定の遊技結果であった場合に表示されるようにしてもよい。
【００２０】
図３（Ａ）に示すように、ゲームアプリは二次元コードの読取結果と、ＧＰＳを利用した現在位置情報とを含む来店情報を情報配信サーバ１０に送信させるプログラムを含む。
【００２１】
これに応答して情報配信サーバ１０は、現在位置情報が示す位置に所在する遊技店の有益情報の検索要求を遊技店情報サーバ１に送信し、その検索結果を遊技店情報サーバ１から受信する。そして、図３（Ｂ）に示すように有益情報を配信情報として図３（Ａ）において来店情報を送信した携帯端末２０に配信する。
【００２２】
これによりユーザである遊技者はその遊技店における有益な情報を手にすることができることになる。遊技者は有益情報を得るために遊技店に足を運ぶ機会が増え、遊技者をより効果的に遊技店に導くことができる。また、来店情報の受信によって、実際に遊技者がその遊技店に足を運んでいるかを情報配信サーバ１０側で知ることができ、宣伝効果を確認することができる。
【００２３】
なお、本実施形態では、遊技店案内情報の配信先を記録しておき、そのユーザが、案内された遊技店に来店したことを条件として有益情報を配信するようにしている。これにより、ゲームアプリ、遊技店案内情報並びに有益情報が一連のサービスとなって、その利用促進を図れると共に、遊技店案内情報の配信効果を確認できる。尤も、遊技店案内情報の配信の有無にかかわらず、来店情報を受信したら、有益情報をそのユーザに提供してもよい。この場合も、遊技者をより効果的に遊技店に導ける点では変わりがなく、遊技店及び遊技者の双方について、情報配信システムＡの利用促進を図れる。
【００２４】
二次元コードが示す情報の内容は、少なくとも実際に遊技店に足を運んだことが確認できれば足り、この目的の範囲でどのような内容であってもよい。例えば、特定の数値情報であってもよい。また、例えば、遊技台のメーカや遊技台の機種であってもよい。この場合、例えば、遊技店案内情報が遊技店を案内する機種と同じメーカの場合或いは同じ機種の場合にのみ、有益情報を提供するようにしてもよい。
【００２５】
本実施形態では、来店情報に含まれる現在位置情報によって、来店先の遊技店を特定することとしているが、遊技店を特定可能な遊技店特定情報は現在位置情報に限られない。例えば、二次元コードが示す情報の内容に、遊技店を特定する情報（店舗名や所在地等）を含めてもよい。この場合、現在位置情報は不要となり、来店情報を二次元コードの読取結果のみで構成することが可能となる。
【００２６】
＜サーバの構成＞
図５（Ａ）を参照して情報配信サーバ１０の構成について説明する。同図は情報配信サーバ１０のブロック図である。なお、遊技店情報サーバ１及び地図情報サーバ２の構成例についても、データベース（以下、ＤＢともいう。）の内容を除いて情報配信サーバ１０と同様とすることができ、その説明は省略する。
【００２７】
情報配信サーバ１０は、ＣＰＵ１１と、ＲＯＭ１２ａと、ＲＡＭ１２ｂと、ＲＴＣ（リアルタイムクロック）１３と、通信装置１４と、記憶装置１５と、を備える。ＣＰＵ１１は情報配信サーバサーバ１０全体を制御する。ＲＯＭ１２ａには固定的なデータ、プログラムが記憶される。ＲＡＭ１２ｂには一時的なデータが記憶される。ＲＯＭ１２ａ、ＲＡＭ１２ｂは他の種類の記憶装置でもよい。ＲＴＣ１４は現在時刻を計時する。記憶装置１５は例えばハードディスクドライブであり、ＣＰＵ１１が実行するプログラム、情報配信サーバ１０がＷｅｂページで提供するデータ、ゲームアプリ、各種のＤＢ等が記憶される。通信装置１４は、図１の通信回線３０を介して他の装置との情報の送信、受信を行うための装置であり、例えば、通信インターフェースである。
【００２８】
＜携帯端末＞
図５（Ｂ）は携帯端末２０のブロック図である。携帯端末２０は、ＣＰＵ２１と、ＲＯＭ２２ａと、ＲＡＭ２２ｂと、ＲＴＣ（リアルタイムクロック）２３と、通信装置２４と、記憶装置２５と、入力装置２６と、表示装置２７と、位置検出装置２８と、読取装置２９とを備える。ＣＰＵ２１は携帯端末２０全体を制御する。ＲＯＭ２２ａには固定的なデータ、プログラムが記憶される。ＲＡＭ２２ｂには一時的なデータが記憶される。ＲＯＭ２２ａ、ＲＡＭ２２ｂは他の種類の記憶装置でもよい。ＲＴＣ２３は現在時刻を計時する。記憶装置２５は、携帯端末２０が携帯型電話機の場合、例えば、フラッシュメモリである。記憶装置２５には、ＣＰＵ２１が実行するプログラム、ゲームアプリ、その他のデータが記憶される。通信装置２４は、例えば、無線通信装置であり、図１に示す基地局及び通信回線３０を介して情報配信サーバ１０と情報の送信、受信が可能である。入力装置２６は携帯端末２０にユーザが情報を入力する装置であり、例えばキーボタン或いはタッチパネルである。表示装置２７は電子画像を表示する装置であり、例えば、液晶表示装置である。位置検出装置２８は、携帯端末２０の現在位置を検出する装置であり、例えば、ＧＰＳ信号の受信機である。読取装置２９は二次元コードを読み取る装置であり、例えば、撮像装置（カメラ）である。
【００２９】
＜データベース＞
図６（Ａ）は情報配信サーバ１０の記憶装置１５に蓄積されるユーザ管理情報ＤＢの例を示す説明図である。本実施形態ではゲームアプリのダウンロードの要件として、情報配信サーバ１０が提供するサービスの会員であることを要求する場合を想定しており、ユーザ管理情報ＤＢは会員の情報を蓄積する。同図の例では、ユーザＩＤ、メールアドレス、年齢、住所、ゲーム購入情報、広告配信履歴等が含まれている。
【００３０】
ユーザＩＤは携帯端末２０のユーザ固有のＩＤであり、そのユーザのメールアドレス、年齢、住所が関連付けられている。ゲーム購入情報は、そのユーザが有償（又は無償）で購入してダウンロードしたゲームアプリの種類を示す。
【００３１】
案内配信履歴は、図２（Ｃ）に示した遊技店案内情報の配信履歴を示す。この配信履歴は、遊技店案内情報を配信情報として送信した配信先（ユーザ又は携帯端末）を特定する配信先情報を含む。また、この配信履歴には、例えば、案内対象の遊技店を特定する情報や、検索対象とした遊技台の機種を特定する情報、配信日時等を含めることができる。案内対象の遊技店を特定する情報を含めることで、例えば、有益情報を提供するか否かの判断を可能とする。検索対象とした遊技台の機種の種類を特定する情報を含めることで、例えば、有益情報のうち、その機種についての情報のみを提供可能となる。配信日時を含めることで、例えば、遊技店案内情報の配信から一定期間の間に来店情報を受信した場合のみ、有益情報を提供するといった制御を行えるほか、遊技店案内情報の配信に対するユーザの来店状況の分析に役立てることができる。
【００３２】
なお、携帯端末２０が、情報配信サーバ１０に何らかの要求や情報の送信をする際には、その都度、その識別情報（例えば電話番号）を送信するものとすれば、情報配信サーバ１０はどの会員からの要求等であるかを判定できる。
【００３３】
図６（Ｂ）は情報配信サーバ１０の記憶装置１５に蓄積される広告情報ＤＢの例を示す説明図である。同図の例では、遊技台の機種を特定する機種ＩＤに広告情報の内容或いはリンク先が関連付けられており、機種毎の遊技台の詳細情報等を想定している。広告情報は、所定の場合に携帯端末２０に配信する。
【００３４】
図６（Ｃ）は情報配信サーバ１０の記憶装置１５に蓄積される二次元コード情報ＤＢの例を示す説明図である。同図の例では、遊技台の機種を特定する機種ＩＤに二次元コードの内容が関連付けられており、来店情報を受信した場合に、ユーザが読み取った二次元コードが示された遊技台の機種を特定可能となっている。
【００３５】
図６（Ｄ）は遊技店情報サーバ１の記憶装置に蓄積される遊技店情報ＤＢの例を示す説明図である。同図の例では、遊技台の機種を特定する機種ＩＤに、これを設置している遊技店が関連付けられている。例えば、同図の例では、機種ＩＤが1234567の遊技台が、Ａ店〜Ｄ店に設置されていることを示している。また、各遊技店には、所在地情報、営業情報、設備情報、有益情報等が関連付けられている。所在地情報は、その遊技店の所在地を示す情報（住所や位置情報）である。営業情報は、例えば、その遊技店の営業時間等の情報である。設備情報は、その遊技店に設置されている機種及びその数、フロア構成、駐車場等の情報である。有益情報は、上記の通り、来店情報を送信した携帯端末２０に対して送信される情報である。この有益情報は、例えば、遊技店端末３を介して遊技店店員が遊技店情報サーバ１にアクセスして適宜更新することが可能であり、これにより、日替わりサービスやタイムサービスに関する情報を迅速に提供可能となる。
【００３６】
なお、特に図示しないが、地図情報サーバ２の記憶装置には地図情報ＤＢが蓄積され、このＤＢは例えば電子化された地図と位置情報等とが関連付けて格納される。
【００３７】
＜ゲームアプリ＞
図７（Ａ）はゲームアプリに含まれるプログラムを示す図である。ゲームアプリには、遊技台シミュレーションゲームプログラムの他、機種情報、遊技店情報提供プログラム、有益情報提供プログラムが含まれる。機種情報は、遊技台シミュレーションゲームに対応する実機の種類を示す情報である。遊技店案内情報提供プログラムは、図２（Ｂ）及び図２（Ｃ）に示した遊技店案内情報の提供に関する携帯端末２０側の処理のプログラムであり、有益情報情報提供プログラムは図３（Ａ）及び図３（Ｂ）に示した有益情報の提供に関する携帯端末２０側の処理のプログラムである。
【００３８】
図７（Ｂ）は、ゲームアプリの起動により携帯端末２０の表示装置２７が表示する初期画面例を示している。同図の例ではタイトルと共に、ゲーム開始ボタン、有益情報ボタン、その他ボタンが表示されている。入力装置２６によりゲーム開始ボタンを選択すると、遊技台シミュレーションゲームが開示される。図７（Ｃ）はそのゲーム画面の表示例であり、同図ではスロットマシンのシミュレーションゲームを想定している。有益情報ボタンを選択すると、二次元コードの読み取りを促す処理が実行される。
【００３９】
遊技店案内情報提供プログラムは、本実施形態の場合、遊技台シミュレーションゲームのゲーム終了を契機として実行される。つまり、ユーザが遊技台シミュレーションゲームの終了を選択した場合に実行される。ゲーム終了を契機とすることで、実機でのゲームをユーザに円滑に促すことができる。尤も、遊技台シミュレーションゲームの実行途中で遊技店案内情報を適宜提供してもよく、この場合は、例えば、図７（Ｃ）に例示したゲーム画面の一部に実機を遊技可能な遊技店の情報を表示するようにしてもよい。
【００４０】
＜遊技店案内情報の配信処理例＞
次に、遊技店案内情報の配信処理に関わる携帯端末２０と情報配信サーバ１０の処理例について、図８（Ａ）を参照して説明する。図８（Ａ）は、遊技台シミュレーションゲームの終了がユーザにより選択された場合の携帯端末２０の処理と、対応する情報配信サーバ１０の処理との例を示すフローチャートである。
【００４１】
Ｓ１では携帯端末２０が、ユーザの終了指示にしたがって、実行中の遊技台シミュレーションゲームを終了する処理を行う。Ｓ２では遊技店案内情報の配信をユーザが希望するか、その問い合わせを行う。この問い合わせは、例えば図８（Ｂ）に示すように表示装置２７に問い合わせ画面を表示することにより行う。
【００４２】
図８（Ｂ）の例では、実機が設置されている遊技店を検索することをユーザに問い合わせるメッセージと共に、探すボタン、やめるボタンが表示されている。探すボタンが選択された場合にはＳ３へ進み、やめるボタンが選択された場合はゲームアプリを終了するか、或いは、初期画面へ戻ることになる。なお、本実施形態の場合、遊技店案内情報の配信をユーザが希望した場合にのみ、配信するようにしているが、一律に配信する構成としてもよい。この場合、ゲーム終了を契機とする等、所定の条件が成立した場合に、Ｓ３以下の処理を実行することになる。
【００４３】
図８（Ａ）に戻り、Ｓ３では携帯端末２０が位置検出装置２８により現在位置を検出する。Ｓ４では携帯端末２０が情報配信サーバ１０に遊技店案内情報の取得要求を送信する。取得要求には、Ｓ１で終了した遊技台シミュレーションゲームに対応する実機の機種情報とＳ３で検出した現在位置情報とが含まれる。
【００４４】
情報配信サーバ１０は、携帯端末２０から取得要求を受信し、Ｓ１０１で配信情報生成処理を実行する。詳細は後述する。Ｓ１０２ではＳ１０１で生成した配信情報を、取得要求を送信した携帯端末２０に送信する。Ｓ５では、携帯端末２０は受信した配信情報を表示装置２７に表示する。以上により一単位の処理が終了する。
【００４５】
図９は、Ｓ１０１の配信情報生成処理を示すフローチャートである。Ｓ１１１で、情報配信サーバ１０は、携帯端末２０から受信した機種情報と現在位置情報と基づき、機種情報が示す種類の実機が設置されている遊技店であって、現在位置情報が示す位置を基準とした所定地域内に存在する遊技店の検索要求を遊技店情報サーバ１へ送信する。現在位置情報が示す位置を基準とした所定地域内に存在する遊技店としては、遊技者が徒歩或いはバスや電車等の交通手段で短時間（例えば３０分以内）に到達できる範囲内の遊技店が好ましく、例えば、現在位置情報が示す位置に最も近い遊技店、現在位置情報が示す位置を中心とした半径１ｋｍの地域内に存在する遊技店、現在位置情報が示す位置を含む市町村等が挙げられる。このような検索範囲は、例えば、情報配信サーバ１０が指定してもよいし、情報配信サーバ１０は範囲を指定せずに現在位置情報を送信し、遊技店情報サーバ１が検索範囲を設定するようにしてもよい。
【００４６】
検索要求を受信した遊技店情報サーバ１はＳ２０１で、遊技店情報ＤＢから該当する遊技店を検索する。例えば、まず、機種情報が示す種類の実機が設置されている遊技店を抽出する。次に、その中から、所定地域内に存在する遊技店を抽出する。そして、抽出した遊技店の情報を検索結果として、Ｓ２０２で情報配信サーバ１０へ送信する。送信する遊技店の情報には、少なくとも図６（Ｄ）の所在地情報と営業情報とが含まれる。
【００４７】
検索結果を受信した情報配信サーバ１０は、Ｓ１１２で、検索された遊技店の営業時間をチェックする。例えば、営業時間が既に終了している遊技店も案内可能ではあるが、これから遊技店に出向いても遊技ができないため、実機での遊技を直ぐにでも行いたい携帯端末２０のユーザにとっては余り役に立たない。そこで、本実施形態では、Ｓ１１２で、ＲＴＣ１３で現在時刻を確認し、現在時刻を基準として営業時間内に遊技可能な遊技店を選択すべく、検索された遊技店の営業時間をチェックする。
【００４８】
営業時間内に遊技可能な遊技店としては、ユーザの移動時間やその後の遊技時間を考慮して、営業終了まで一定時間の余裕がある遊技店と、営業時間前であるがユーザの移動時間を考慮すると営業開始まで一定時間内となる遊技店とが挙げられる。図１０は、その判断例を示している。同図の例では、営業時間が１０時〜２２時４５分までの遊技店については、遊技店案内情報を８時３０分〜９時４５分までとしている。それ以外の時間帯は遊技店案内情報と異なる情報（ここでは図６（Ｂ）の広告情報ＤＢに蓄積される広告情報）を生成して配信することとしている。このように、現在時刻に応じて異なる配信情報を生成して配信することで、ユーザにとって、より役立つ情報を提供することが可能となる。なお、現在時刻に応じた配信情報としては、営業時間を考慮したもの以外にも、タイムサービス中か否か等を考慮することも挙げられる。
【００４９】
図９に戻り、情報配信サーバ１０はＳ１１３で、Ｓ１１２のチェックの結果、営業時間内に遊技可能な遊技店があるか否かを判別する。該当する場合はＳ１１４へ進み、該当しない場合はＳ１１６へ進む。
【００５０】
Ｓ１１４では、営業時間内に遊技可能な遊技店の所在地情報に基づいて、その周辺地図の取得要求を地図情報サーバ２へ送信する。営業時間内に遊技可能な遊技店が複数ある場合は、ユーザの現在位置に最も近い１つの遊技店のみを遊技店案内情報の対象としてその周辺地図の取得要求を送信してもよいし、全ての遊技店を遊技店案内情報の対象として、これらを包含する周辺地図の取得要求を送信してもよい。
【００５１】
取得要求を受信した地図情報サーバ２は、該当する地図情報を生成してＳ３０１で情報配信サーバ１０に送信する。Ｓ１１５で、地図情報を受信した情報配信サーバ１０は、営業時間内に遊技可能な遊技店の位置を示す地図情報を配信情報として生成して一単位の処理を終了する。
【００５２】
一方、情報配信サーバ１０はＳ１１６では、案内すべき遊技店が無いとして、広告情報を配信情報として生成して一単位の処理を終了する。本実施形態の場合、広告情報は、図６（Ｂ）の広告情報ＤＢを参照して機種情報に対応するものが読み出される。そして読みだした広告情報から配信情報を生成する。
【００５３】
図１１〜図１３は、携帯端末２０における配信情報の表示例を示している。図１１及び図１２は、遊技店案内情報が配信情報として配信された場合（図９のＳ１１５の場合）、図１３は広告情報が配信情報として配信された場合（図９のＳ１１６の場合）をそれぞれ例示している。
【００５４】
図１１の遊技店案内情報の表示例では、案内対象の遊技店と、その位置を示す地図情報とが示されている。案内対象の遊技店のいずれかを選択すると図１２に示すようにその遊技店の詳細情報が表示される。詳細情報には、ユーザが検索対象とした種類の実機（機種Ａ）の情報が含まれている。なお、同図の表示例では、「遊技店に着いたら．．．」と表示されており、有益情報の取得を促す表示もなされている。
【００５５】
図１３の広告情報の表示例では、近隣に実機を設置している遊技店で営業時間中に遊技ができそうな店舗が無いことを示す一方、実機（機種Ａ）の一般的な情報やその他の情報が表示されている。
【００５６】
＜有益情報の配信処理例＞
次に、有益情報の配信処理に関わる携帯端末２０と情報配信サーバ１０の処理例について、図１４を参照して説明する。本実施形態の場合、有益情報の配信処理に関わる携帯端末２０側の処理は、例えば、図７（Ｂ）の表示画面において有益情報ボタンが選択された場合に開始される。図１４は、この場合の携帯端末２０の処理と、対応する情報配信サーバ１０の処理との例を示すフローチャートである。
【００５７】
Ｓ１１で、携帯端末２０は表示装置２７に二次元コードを読み取る操作を行うことをユーザに促す表示を行う。これにより、ユーザの操作によって携帯端末２０は遊技台に示された二次元コードを読取装置２９で読み取る。
【００５８】
Ｓ１２で携帯端末２０が位置検出装置２８により現在位置を検出する。Ｓ１３では携帯端末２０が情報配信サーバ１０に来店情報を含む有益情報の取得要求を送信する。来店情報には、Ｓ１１で読み取った二次元コードの読取結果とＳ１２で検出した現在位置情報とが含まれる。
【００５９】
情報配信サーバ１０は、携帯端末２０から取得要求を受信し、Ｓ１２１で配信情報生成処理を実行する。詳細は後述する。Ｓ１２２ではＳ１２１で生成した配信情報を、取得要求を送信した携帯端末２０に送信する。Ｓ１４では、携帯端末２０は受信した配信情報を表示装置２７に表示する。以上により一単位の処理が終了する。
【００６０】
図１５は、Ｓ１２１の配信情報生成処理を示すフローチャートである。Ｓ１３１で、情報配信サーバ１０は、携帯端末２０から受信した二次元コードの読取結果と二次元コード情報ＤＢ（図６（Ｃ））とを照合し、対応する二次元コード情報があるかをチェックする。対応する二次元コード情報があれば、遊技店に実際にユーザが足を運んで二次元コードの読取を行ったとみなしてＳ１３２へ進む。
【００６１】
Ｓ１３２では、携帯端末２０から受信した現在位置情報の位置に存在する遊技店の検索要求及びその遊技店の有益情報の取得要求を遊技店情報サーバ１に送信する。本実施形態では、実機の機種毎に有益情報が設定される場合を想定し、有益情報の取得要求はＳ１２１で照合した二次元コードに対応する機種の種類を特定する情報を含む。
【００６２】
検索・取得要求を受信した遊技店情報サーバ１はＳ２１１で、受信した現在位置情報の位置に存在する遊技店を遊技店情報ＤＢから検索する。次に、その遊技店の有益情報のうち、機種の種類を特定する情報で特定された機種の有益情報を抽出する。Ｓ２１２では、Ｓ２１１の処理により得た遊技店を特定する情報及び有益情報を検索結果として情報配信サーバ１０に送信する。
【００６３】
情報配信サーバ１０は、遊技店情報サーバ１から遊技店及び有益情報を受信し、Ｓ１３３で、ユーザ管理情報ＤＢ（図６（Ａ））の案内配信履歴を参照し、遊技店情報サーバ１から受信した検索結果により示される遊技店について、来店情報を受信した携帯端末２０のユーザに対して、遊技店案内情報（図１１、図１２）を過去に配信したか否かをチェックする。Ｓ１３４で、配信していた場合はＳ１３５へ進み、配信していなかった場合はＳ１３６へ進む。
【００６４】
情報配信サーバ１０は、Ｓ１３５では、遊技店の有益情報を配信情報として生成する。Ｓ１３６では、一般的な有益情報を配信情報として生成する。以上により一単位の処理が終了する。
【００６５】
図１６（Ａ）及び図１６（Ｂ）は、携帯端末２０における配信情報の表示例を示している。図１６（Ａ）は一般的な有益情報が配信情報として配信された場合（図９のＳ１１６の場合）を示している。図１６（Ｂ）は、遊技店の有益情報が配信情報として配信された場合（図１５のＳ１３５の場合）を示しているが、同図の例では一般的な有益情報も合わせて配信する例を示している。
【００６６】
図１６（Ａ）の一般的な有益情報の表示例では、遊技者に対して仮想コインが付与される場合を想定して、これを告知する表示となっている。携帯端末２０のユーザが実際に遊技店に足を運んでいる点を奨励して遊技者に特典を付与している。しかし、遊技店案内情報の配信によってその遊技店に足を運んだわけではないので、遊技店の有益情報は配信しないものとしている。
【００６７】
図１６（Ｂ）の表示例では、有益情報１として遊技店の有益情報が、有益情報２として図１６（Ａ）と同様の一般的な有益情報が、それぞれ表示されている。遊技店の有益情報は、遊技店に設置されている遊技台に関する情報として、店長のコメントが遊技者に勧める遊技台番号等が表示されている。携帯端末２０のユーザとしては、遊技店案内情報よりも有益な情報を得られたことになる。また、有益情報２として、一般的な有益情報を得られるので、遊技店案内情報にしたがって遊技店に足を運ぶと、ユーザのメリットが大きくなり、利用促進が図られる。
【００６８】
なお、本実施形態では、遊技店案内情報を過去に配信したことを、遊技店の有益情報の配信条件としているが、これを配信条件としなくてもよく、来店情報を送信した全ての携帯端末２０に対して、遊技店の有益情報を配信してもよい。この場合、遊技店の有益情報を、遊技者の有益度合いを異ならせて複数設定可能としておき、遊技店案内情報を過去に配信していた場合は相対的に遊技者の有益度合いの高いものを、配信していない場合は相対的に遊技者の有益度合いが低いものを、それぞれ配信するようにしてもよい。
【００６９】
＜実施形態のまとめ＞
Ａ１．上記実施形態の情報配信システム(例えばA)は、遊技台の実機と同様のゲームを仮想的に行える遊技台シミュレーションゲームを実行可能な携帯端末(例えば20)と、該携帯端末と通信可能なサーバ(例えば10)と、を備える情報配信システムであって、前記携帯端末は、前記遊技台シミュレーションゲームに対応する実機の種類を示す機種情報と前記携帯端末の現在位置情報とを前記サーバに送信する送信手段(例えば24,S4)を備え、前記サーバは、前記携帯端末に送信する配信情報を生成する配信情報生成手段(例えばS101)と、前記配信情報を前記携帯端末に送信する送信手段(例えばS102)と、を備え、前記配信情報生成手段は、前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である(例えばS115)、ことを特徴とする。
【００７０】
Ａ２．上記実施形態の情報配信システムは、上記Ａ１の情報配信システムであって、前記配信情報生成手段は、現在時刻に応じて異なる配信情報を生成する(例えばS112,S113,S115,S116)、ことを特徴とする。
【００７１】
Ａ３．上記実施形態の情報配信システムは、上記Ａ１の情報配信システムであって、前記配信情報生成手段は、前記所定地域内の遊技店のうち、現在時刻を基準として営業時間内に遊技可能な遊技店を示す前記遊技店案内情報を生成し(例えばS115)、営業時間内に遊技可能な遊技店が無い場合は、所定の広告情報を前記配信情報として生成する(例えばS116)、ことを特徴とする。
【００７２】
Ａ４．上記実施形態の情報配信システムは、上記Ａ１の情報配信システムであって、前記携帯端末の前記送信手段は、前記遊技台シミュレーションゲームのゲーム終了を契機として、前記機種情報と前記現在位置情報とを送信する(例えばS1-S4)、ことを特徴とする。
【００７３】
Ａ５．上記実施形態の情報配信システムは、上記Ａ１の情報配信システムであって、前記遊技店案内情報は、前記所定地域内の遊技店の位置を示す地図情報を少なくとも含む(例えば図11)、ことを特徴とする。
【００７４】
Ａ６．上記実施形態の情報配信システムは、上記Ａ５の情報配信システムであって、前記サーバは、遊技店の情報を蓄積した遊技店情報サーバ(例えば1)及び地図情報を蓄積した地図情報サーバ(例えば2)と通信可能であり、前記配信情報生成手段は、前記遊技店情報サーバから取得した情報と前記地図情報サーバから取得した情報とに基づいて、前記遊技店案内情報を生成する(例えば図9)、ことを特徴とする。
【００７５】
Ａ７．上記実施形態の情報配信システムは、上記Ａ１〜Ａ６のいずれかの情報配信システムであって、前記携帯端末は、二次元コードを読み取る読取手段(例えば29)を備え、前記携帯端末の前記送信手段は、前記読取手段が遊技台によって示される二次元コードを読み取った場合に、その読取結果を前記サーバに送信可能であり(例えばS13)、前記配信情報生成手段は、前記携帯端末から前記読取結果を受信した場合に、所定の情報を、前記配信情報として生成する(例えばS121)、ことを特徴とする。
【００７６】
Ａ８．上記実施形態のサーバ(例えば10)は、遊技台の実機と同様のゲームを仮想的に行える遊技台シミュレーションゲームを実行可能な携帯端末(例えば20)と通信可能なサーバであって、前記携帯端末から、前記遊技台シミュレーションゲームに対応する実機の種類を示す機種情報と前記携帯端末の現在位置情報とを受信する受信手段(例えば14)と、前記携帯端末に送信する配信情報を生成する配信情報生成手段(例えばS101)と、前記配信情報を前記携帯端末に送信する送信手段(例えば14,S102)と、を備え、前記配信情報生成手段は、前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である(例えばS115)、ことを特徴とする。
【００７７】
Ａ９．上記実施形態の情報配信方法は、遊技台の実機と同様のゲームを仮想的に行える遊技台シミュレーションゲームを実行可能な携帯端末(例えば20)と通信可能なサーバ(例えば10)に実行させる情報配信方法であって、前記サーバが、前記携帯端末から、前記遊技台シミュレーションゲームに対応する実機の種類を示す機種情報と前記携帯端末の現在位置情報とを受信する受信工程(例えば14,図8(A))と、前記サーバが、前記携帯端末に送信する配信情報を生成する配信情報生成工程(例えばS101)と、前記サーバが、前記配信情報を前記携帯端末に送信する送信工程(例えばS102)と、を備え、前記配信情報生成工程では、前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である(例えばS115)、ことを特徴とする。
【００７８】
Ａ１０．上記実施形態のプログラムは、遊技台の実機と同様のゲームを仮想的に行える遊技台シミュレーションゲームを実行可能な携帯端末(例えば20)と通信可能なサーバ(例えば10)を、前記携帯端末から、前記遊技台シミュレーションゲームに対応する実機の種類を示す機種情報と前記携帯端末の現在位置情報とを受信する受信手段(例えば14,図8(A))、前記携帯端末に送信する配信情報を生成する配信情報生成手段(例えばS101)、前記配信情報を前記携帯端末に送信する送信手段(例えばS102)、として機能させるプログラムであり、前記配信情報生成手段は、前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である(例えばS115)、ことを特徴とするプログラム。
【００７９】
Ａ１１．上記実施形態のプログラムは、サーバ(例えば10)と通信可能な携帯端末(例えば20)を、遊技台の実機と同様のゲームを仮想的に行える遊技台シミュレーションゲームを実行する実行手段(例えば図7(C))、前記遊技台シミュレーションゲームに対応する実機の種類を示す機種情報と前記携帯端末の現在位置情報とを送信する送信手段(例えばS4)
、として機能させる。
【００８０】
Ａ１１．上記実施形態のプログラムは、上記Ａ１１のプログラムであって、前記送信手段は、前記遊技台シミュレーションゲームのゲーム終了を契機として、前記機種情報と前記現在位置情報とを送信する(例えばS1,S4)ことを特徴とする。
【００８１】
Ｂ１．上記実施形態の情報配信システム(例えばA)は、二次元コードを読み取り可能な携帯端末(例えば20)と、該携帯端末と通信可能なサーバ(例えば10)と、を備える情報配信システムであって、前記携帯端末は、遊技店に設置された遊技台によって示される二次元コードの読取結果を少なくとも含む来店情報を前記サーバに送信する送信手段(例えば24,S4)を備え、前記サーバは、前記携帯端末に送信する配信情報を生成する配信情報生成手段(例えばS121)と、前記配信情報を前記携帯端末に送信する送信手段(例えばS122)と、を備え、前記来店情報は、遊技店を特定可能な遊技店特定情報を含み、前記配信情報生成手段は、前記携帯端末から前記来店情報を受信した場合、前記来店情報に含まれる前記遊技店特定情報に対応する遊技店に予め関連付けられた特定情報を、前記配信情報として生成可能である(例えばS135)、ことを特徴とする。
【００８２】
Ｂ２．上記実施形態の情報配信システムは、上記Ｂ１の情報配信システムであって、前記配信情報生成手段は、遊技店を案内する遊技店案内情報を前記配信情報として生成可能であり(例えばS115)、前記特定情報は前記遊技店案内情報よりも遊技者に有益な情報であり、前記サーバは、前記遊技店案内情報を前記配信情報として送信した配信先を特定する配信先情報を記憶した記憶手段(例えば25,図6(A))を備え、前記配信情報生成手段は、前記配信先情報で特定される前記携帯端末から前記来店情報を受信した場合に、前記特定情報を前記配信情報として生成可能である(例えばS133-S135)、ことを特徴とする。
【００８３】
Ｂ３．上記実施形態の情報配信システムは、上記Ｂ１又はＢ２の情報配信システムであって、前記特定情報は、遊技店に設置されている遊技台に関する情報である(例えば図16(B))、ことを特徴とする。
【００８４】
Ｂ４．上記実施形態の情報配信システムは、上記Ｂ１乃至Ｂ３のいずれかの情報配信システムであって、前記遊技店特定情報は、位置情報である(例えばS13)、ことを特徴とする。
【００８５】
Ｂ５．上記実施形態の情報配信システムは、上記Ｂ１乃至Ｂ４のいずれかの情報配信システムであって、前記遊技台によって示される二次元コードは、遊技台が備える画像表示装置が表示する二次元コードである(例えば図4(A),(B))、ことを特徴とする。
【００８６】
Ｂ６．上記実施形態のサーバ(例えば10)は、二次元コードを読み取り可能な携帯端末(例えば20)と通信可能なサーバであって、前記携帯端末から、遊技店に設置された遊技台によって示される二次元コードの読取結果を少なくとも含む来店情報を受信する受信手段(例えば14)と、前記携帯端末に送信する配信情報を生成する配信情報生成手段(例えばS121)と、前記配信情報を前記携帯端末に送信する送信手段(例えばS122)と、を備え、前記来店情報は、遊技店を特定可能な遊技店特定情報を含み、前記配信情報生成手段は、前記携帯端末から前記来店情報を受信した場合、前記来店情報に含まれる前記遊技店特定情報に対応する遊技店に予め関連付けられた特定情報を、前記配信情報として生成可能である(例えばS135)、ことを特徴とする。
【００８７】
Ｂ７．上記実施形態の情報配信方法は、二次元コードを読み取り可能な携帯端末(例えば20)と通信可能なサーバ(例えば10)に実行させる情報配信方法であって、前記携帯端末から、遊技店に設置された遊技台によって示される二次元コードの読取結果を少なくとも含む来店情報を受信する受信工程(例えば14,図14)と、前記携帯端末に送信する配信情報を生成する配信情報生成工程(例えばS121)と、前記配信情報を前記携帯端末に送信する送信工程(例えばS122)と、を備え、前記来店情報は、遊技店を特定可能な遊技店特定情報を含み、前記配信情報生成工程では、前記携帯端末から前記来店情報を受信した場合、前記来店情報に含まれる前記遊技店特定情報に対応する遊技店に予め関連付けられた特定情報を、前記配信情報として生成可能である(例えばS135)、ことを特徴とする。
【００８８】
Ｂ８．上記実施形態のプログラムは、二次元コードを読み取り可能な携帯端末(例えば20)と通信可能なサーバ(例えば10)を、前記携帯端末から、遊技店に設置された遊技台によって示される二次元コードの読取結果を少なくとも含む来店情報を受信する受信手段(例えば14)、前記携帯端末に送信する配信情報を生成する配信情報生成手段(例えばS121)、前記配信情報を前記携帯端末に送信する送信手段(例えばS122)、として機能させるプログラムであり、前記来店情報は、遊技店を特定可能な遊技店特定情報を含み、前記配信情報生成手段は、前記携帯端末から前記来店情報を受信した場合、前記来店情報に含まれる前記遊技店特定情報に対応する遊技店に予め関連付けられた特定情報を、前記配信情報として生成可能である(例えばS135)、ことを特徴とする。
【００８９】
Ｂ９．上記実施形態のプログラムは、二次元コードの読取手段(例えば29)及び現在位置検出手段(例えば28)を備えると共に、サーバ(例えば10)と通信可能な携帯端末(例えば20)を、遊技店に設置された遊技台によって示される二次元コードの前記読取手段による読取結果と、前記現在位置検出手段による現在位置情報とを含む来店情報を前記サーバに送信する送信手段(例えば24,S13)、として機能させる。
【図１】
2014106814.tif 000003
【図２】
2014106814.tif 000004
【図３】
2014106814.tif 000005
【図４】
2014106814.tif 000006
【図５】
2014106814.tif 000007
【図６】
2014106814.tif 000008
【図７】
2014106814.tif 000009
【図８】
2014106814.tif 000010
【図９】
2014106814.tif 000011
【図１０】
2014106814.tif 000012
【図１１】
2014106814.tif 000013
【図１２】
2014106814.tif 000014
【図１３】
2014106814.tif 000015
【図１４】
2014106814.tif 000016
【図１５】
2014106814.tif 000017
【図１６】
2014106814.tif 000018
【手続補正書】
【提出日】平成25年3月7日(2013.3.7)
【手続補正１】
【補正対象書類名】特許請求の範囲
【補正対象項目名】全文
【補正方法】変更
【補正の内容】
【特許請求の範囲】
【請求項１】
遊技台の実機と同様のゲームを仮想的に行える遊技台シミュレーションゲームを実行可能な携帯端末と、該携帯端末と通信可能なサーバと、を備える情報配信システムであって、
前記携帯端末は、
前記遊技台シミュレーションゲームに対応する実機の種類を示す機種情報と前記携帯端末の現在位置情報とを前記サーバに送信する送信手段を備え、
前記サーバは、
前記携帯端末に送信する配信情報を生成する配信情報生成手段と、
前記配信情報を前記携帯端末に送信する送信手段と、を備え、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とする情報配信システム。
【請求項２】
請求項１に記載の情報配信システムであって、
前記配信情報生成手段は、
現在時刻に応じて異なる配信情報を生成する、
ことを特徴とする情報配信システム。
【請求項３】
請求項１に記載の情報配信システムであって、
前記配信情報生成手段は、
前記所定地域内の遊技店のうち、現在時刻を基準として営業時間内に遊技可能な遊技店を示す前記遊技店案内情報を生成し、
営業時間内に遊技可能な遊技店が無い場合は、所定の広告情報を前記配信情報として生成する、
ことを特徴とする情報配信システム。
【請求項４】
請求項１に記載の情報配信システムであって、
前記携帯端末の前記送信手段は、前記遊技台シミュレーションゲームのゲーム終了を契機として、前記機種情報と前記現在位置情報とを送信する、
ことを特徴とする情報配信システム。
【請求項５】
請求項１に記載の情報配信システムであって、
前記遊技店案内情報は、前記所定地域内の遊技店の位置を示す地図情報を少なくとも含む、
ことを特徴とする情報配信システム。
【請求項６】
請求項５に記載の情報配信システムであって、
前記サーバは、
遊技店の情報を蓄積した遊技店情報サーバ及び地図情報を蓄積した地図情報サーバと通信可能であり、
前記配信情報生成手段は、
前記遊技店情報サーバから取得した情報と前記地図情報サーバから取得した情報とに基づいて、前記遊技店案内情報を生成する、
ことを特徴とする情報配信システム。
【請求項７】
請求項１乃至６のいずれか１項に記載の情報配信システムであって、
前記携帯端末は、二次元コードを読み取る読取手段を備え、
前記携帯端末の前記送信手段は、前記読取手段が遊技台によって示される二次元コードを読み取った場合に、その読取結果を前記サーバに送信可能であり、
前記配信情報生成手段は、前記携帯端末から前記読取結果を受信した場合に、所定の情報を、前記配信情報として生成する、
ことを特徴とする情報配信システム。
【請求項８】
遊技台の実機と同様のゲームを仮想的に行える遊技台シミュレーションゲームを実行可能な携帯端末と通信可能なサーバであって、
前記携帯端末から、前記遊技台シミュレーションゲームに対応する実機の種類を示す機種情報と前記携帯端末の現在位置情報とを受信する受信手段と、
前記携帯端末に送信する配信情報を生成する配信情報生成手段と、
前記配信情報を前記携帯端末に送信する送信手段と、を備え、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とするサーバ。
【請求項９】
遊技台の実機と同様のゲームを仮想的に行える遊技台シミュレーションゲームを実行可能な携帯端末と通信可能なサーバに実行させる情報配信方法であって、
前記サーバが、前記携帯端末から、前記遊技台シミュレーションゲームに対応する実機の種類を示す機種情報と前記携帯端末の現在位置情報とを受信する受信工程と、
前記サーバが、前記携帯端末に送信する配信情報を生成する配信情報生成工程と、
前記サーバが、前記配信情報を前記携帯端末に送信する送信工程と、を備え、
前記配信情報生成工程では、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とする情報配信方法。
【請求項１０】
遊技台の実機と同様のゲームを仮想的に行える遊技台シミュレーションゲームを実行可能な携帯端末と通信可能なサーバを、
前記携帯端末から、前記遊技台シミュレーションゲームに対応する実機の種類を示す機種情報と前記携帯端末の現在位置情報とを受信する受信手段、
前記携帯端末に送信する配信情報を生成する配信情報生成手段、
前記配信情報を前記携帯端末に送信する送信手段、として機能させるプログラムであり、
前記配信情報生成手段は、
前記携帯端末から受信した前記機種情報と前記現在位置情報とに基づいて、前記機種情報が示す種類の実機が設置されている遊技店であって、前記現在位置情報が示す位置を基準とした所定地域内の少なくとも１つの遊技店を示す遊技店案内情報を、前記配信情報として生成可能である、
ことを特徴とするプログラム。